(57)【要約】【課題】本発明は、ペダルフィーリングに影響を与えずに、騒音がブレーキブースタのペダル踏力入力部とダッシュパネルの通孔との間から車室内へ侵入するのを防げる車両のブレーキ構造を提供する。【解決手段】本発明は、車室内外を仕切るダッシュパネル５の車室外側の側面に設けられたブレーキブースタ９を有し、ブレーキブースタに形成されたペダル踏力入力部１９がダッシュパネルの通孔を通じ車室内へ突き出るブレーキ構造で、ダッシュパネルの車室内側の側面に、ペダル踏力入力部を覆い、通孔とペダル踏力入力部との間の間隙を遮るカバー部材４５を設けるものとした。同構成により、カバー部材によって、ペダル踏力入力部と通孔との間を通じ、車室外から車室内へ向かう騒音の侵入経路は遮られる。【選択図】図１
2015229404.tif 000002
【特許請求の範囲】
【請求項１】
車室内外を仕切るダッシュパネルの車室外側の側面に設けられたブレーキブースタを有し、当該ブレーキブースタに形成されたペダル踏力入力部が前記ダッシュパネルの通孔を通じ車室内へ突き出る車両のブレーキ構造であって、
前記ダッシュパネルの車室内側の側面には、前記ペダル踏力入力部を覆い、前記通孔と前記ペダル踏力入力部との間の間隙を遮るカバー部材を有する
ことを特徴とする車両のブレーキ構造。
【請求項２】
前記ブレーキ倍力装置のペダル踏力入力部は、車室内に張り出る筒形部と、前記筒形部を通じて車室内に突き出るロッド部材とを有し、
前記カバー部材は、前記ダッシュパネルの前記通孔周りの車室内側の側面に固定される第１フランジ部と、前記第１フランジ部から延びて前記筒形部から前記ロッド部材の先端側までを覆う第１カバー部とを有する
ことを特徴とする請求項１に記載の車両のブレーキ構造。
【請求項３】
前記ブレーキ倍力装置のペダル踏力入力部は、車室内に張り出る筒形部と、前記筒形部を通じて車室内に突き出るロッド部材とを有し、
前記カバー部材は、前記ダッシュパネルの前記通孔周りの車室内側の側面に固定される第２フランジ部と、前記第２フランジ部から延びて前記筒形部を覆う第２カバー部とを有する
ことを特徴とする請求項１に記載の車両のブレーキ構造。
【請求項４】
前記筒形部と前記第２カバー部材との間の間隙は、シール部材を有することを特徴とする請求項３に記載の車両のブレーキ構造。
【請求項５】
前記ダッシュパネルは、前記ペダル踏力入力部を挟んだ車室内側の側面に、ブレーキペダルを支持する一対のペダル支持壁が配置され、
前記カバー部材は、前記一対のペダル支持壁間に配置される
ことを特徴とする請求項１から請求項４のいずれか一つに記載の車両のブレーキ構造。
【発明の詳細な説明】
【技術分野】
【０００１】
本発明は、ダッシュパネルにブレーキブースタが取り付けられる車両のブレーキ構造に関する。
【背景技術】
【０００２】
自動車（車両）の多くは、ブレーキ操作力の低減を図るために、エンジンの運転で得らえる吸気負圧や負圧ポンプで得られる負圧で作動するブレーキブースタが装備されている。ブレーキブースタは、外形が大きいため、多くはエンジンルームと車室内といった車室内外を仕切るダッシュパネルの側面（車室外側）に取付けられる。
こうしたブレーキブースタには、通常、ペダル踏力を入力するためのペダル踏力入力部が設けられている。ペダル踏力入力部は、ブースタ外側へ張り出る筒形部と、同筒形部を通じて、外側へ突き出るロッド部材とを有している。ロッド部材は、筒形部に内蔵されている真空弁や大気弁など各種弁を操作する部材である。そして、このロッド部材端にブレーキペダルが接続されることにより、ブレーキペダルの踏力にてブレーキブースタが作動する。
【０００３】
このため、ブレーキブースタをダッシュパネルの車室外側の側面に取り付けるときは、特許文献１や特許文献２などで開示されているように、ダッシュパネルに設けた通孔からロッド部材や筒形部を車室内へ差し込み、ブレーキブースタの座面をダッシュパネルの車室外の側面に重ね合わせ、筒形部やロッド部材を車室内へ突き出す。さらに述べると、ブレーキブースタは、ブレーキブースタの座面から突き出ているボルト部材をダッシュパネルに貫通させ、ボルト部材の貫通端に先端部にナット部材をねじ込むことにより、筒形部やロッド部材が車室内へ突き出る姿勢で、ダッシュパネルの車室外側の側面に固定される。そして、このブレーキブースタのロッド部材（ペダル踏力入力部）の先端部にブレーキペダルが接続される。
【先行技術文献】
【特許文献】
【０００４】
【特許文献１】特開平  ６−２１９３２７号公報
【特許文献２】特開２０１４−    ４９０６号公報
【発明の概要】
【発明が解決しようとする課題】
【０００５】
ところで、エンジンルーム内では、エンジンの運転音など騒音が生じており、このエンジンルームの騒音が、ペダル踏力入力部と同ペダル踏力入力部を貫通させるダッシュパネルの通孔との間の間隙を通じて、車室内へ侵入することがある。この騒音の侵入は、車室内の静粛性を損なわせる。
そこで、車室内の静粛性の確保のために、重なり合うブレーキブースタの座面とダッシュパネルの側面との間に、シール部材を挟み込む手段が講じられつつある。
【０００６】
ところが、同構造は、遮音は行えるものの、挟み込まれるシール部材には柔軟性に富む部材が用いられるため、ブレーキブースタのダッシュパネルに対する支持剛性が低下しやすく、ブレーキペダルのフィーリング（ブレーキ操作時）に影響を与えやすい難点がある。
そこで、本発明の目的は、ペダルフィーリングに影響を与えずに、騒音がブレーキブースタのペダル踏力入力部とダッシュパネルの通孔との間から車室内へ侵入するのを防げる車両のブレーキ構造を提供する。
【課題を解決するための手段】
【０００７】
本発明の態様は、車室内外を仕切るダッシュパネルの車室外側の側面に設けられたブレーキブースタを有し、当該ブレーキブースタに形成されたペダル踏力入力部がダッシュパネルの通孔を通じ車室内へ突き出る車両のブレーキ構造であって、ダッシュパネルの車室内側の側面には、ペダル踏力入力部を覆い、通孔とペダル踏力入力部との間の間隙を遮るカバー部材を有するものとした（請求項１）。
【０００８】
好ましくは、ブレーキ倍力装置のペダル踏力入力部は、車室内に張り出る筒形部と、筒形部を通じて車室内に突き出るロッド部材とを有し、カバー部材は、ダッシュパネルの通孔周りの車室内側の側面に固定される第１フランジ部と、第１フランジ部から延びて筒形部からロッド部材の先端側までを覆う第１カバー部とを有するものとした（請求項２）。
好ましくは、ブレーキ倍力装置のペダル踏力入力部は、車室内に張り出る筒形部と、筒形部を通じて車室内に突き出るロッド部材とを有し、カバー部材は、ダッシュパネルの通孔周りの車室内側の側面に固定される第２フランジ部と、第２フランジ部から延びて筒形部を覆う第２カバー部とを有するものとした（請求項３）。
【０００９】
好ましくは、筒形部と第２カバー部材との間の間隙は、シール部材を有するものとした（請求項４）。
好ましくは、ダッシュパネルは、ペダル踏力入力部を挟んだ車室内側の側面に、ブレーキペダルを支持する一対のペダル支持壁が配置され、カバー部材は、一対のペダル支持壁間に配置されるものとした（請求項５）。
【発明の効果】
【００１０】
本発明によれば、ダッシュパネルの車室内側の側面に取り付けられるカバー部材により、ペダル踏力入力部と通孔間に生じる騒音の侵入経路は遮られる。しかも、カバー部材は、ブレーキブースタの支持剛性を低下させずにすむので、ブレーキペダルのペダルフィーリングを低下させることはない。
それ故、ペダルフィーリングに影響を与えずに、騒音がブレーキブースタのペダル踏力入力部とダッシュパネルの通孔との間から車室内へ侵入するのを防ぐことができる。
【図面の簡単な説明】
【００１１】
【図１】本発明の第１の実施形態に係る態様となる車両のブレーキ構造を示す断面図。
【図２】同じくブレーキ構造を分解した断面図。
【図３】同じくブレーキ構造を分解した斜視図。
【図４】本発明の第２の実施形態に係る態様となるブレーキ構造の要部を示す断面図。
【図５】本発明の第３の実施形態に係る態様となるブレーキ構造の要部を示す断面図。
【発明を実施するための形態】
【００１２】
以下、本発明を図１から図３に示す第１の実施形態にもとづいて説明する。
図１は本発明を適用した車両（例えば自動車）のブレーキ構造の断面図、図２および図３は同ブレーキ構造を分解した図をそれぞれ示している。
図中１は、例えば車体の中央部に形成された車室、３は、例えば車体の前部に形成されたエンジンルーム、５は、車室内外である車室１とエンジンルーム３との間を仕切るダッシュパネルである。ちなみに、ダッシュパネル５の車室内側の側面には、ダッシュパッド７（吸音材）が添えられている。
【００１３】
ダッシュパネル５の車室外側の側面には、ブレーキブースタであるところの、例えばエンジンの吸気負圧を用いたバキューム式のブレーキブースタ９が設けられている。またブレーキブースタ９と反対側のダッシュパネル５の側面（車室内側の側面）には、ブレーキペダル３１付のペダルブラケット３３が設けられている。
具体的にはブレーキブースタ９は、エンジンの吸気負圧を受けるダイヤフラム室（ダイヤフラムで区画された室：図示しない）を内蔵する円盤状のブースタ本体１１と、同ブースタ本体１１の一側部に組み付けられたマスタシリンダ部１３と、ブースタ本体１１の他側面に設けられた円形状の取付座１５（図２）、取付座１５の外周部から突き出た複数本のボルト部材１７（図２）、取付座１５の中央部から外部へ突き出るペダル踏力入力部１９（ペダル踏力を入力する部分；図２）とを有している。
【００１４】
さらに述べればペダル踏力入力部１９は、図２および図３にも示されるようにブースタ本体１１の軸心部沿いに取付座１５の中央部から外部へ突き出るオペレーティングロッド２１（本願のロッド部材に相当）と、オペレーティングロッド２１の根本側となる取付座１５の中央部に設けた筒形部２３とを有している。筒形部２３は、オペレーティングロッド２１を覆いながら筒形に張り出ている。この筒形部２３の内部には、各種弁、例えばロッド変位にしたがい吸気通路と大気通路を切り換える真空弁や大気弁が内蔵されている。むろん、各種シール構造も内蔵されている。ちなみに。オペレーティングロッド２１は、ブースタ本体１１に内蔵されたダイヤフラム（図示しない）から外部へ突き出ている。そして、筒形部２３から突き出たオペレーティングロッド２１の先端部にクレビス２５が設けられる。
【００１５】
なお、筒形部２３端からクレビス２５近傍までのオペレーティングロッド部分は、蛇腹形のブーツ部材２７で覆ってある。ちなみに、ブレーキブースタ９は、エンジン負圧式でなく、負圧ポンプで得られる負圧式でも同様な構造である。
このブレーキブースタ９の取付座１５は、ダッシュパネル５の車室外側（エンジンルーム側）の側面で形成される座面６ａ（図２）と重なる。取付座１５の中央部から突き出た筒形部２３およびオペレーティングロッド２１（いずれもペダル踏力入力部）は、ダッシュパネル５に設けた通孔５ａ（図２）を貫通して車室内側へ突出する。取付座１５の外周部から突き出たボルト部材１７は、ダッシュパネル５に設けたボルト孔５ｂ（図２）から車室内側へ突き出る。ちなみに、取付座１５と反対側のダッシュパネル５の車室内側は、ダッシュパッド７が取り除かれている。そして、露出するダッシュパネル５の側面（車室内側）にて、ペダルブラケット据付用の座面６ｂを形成している。
【００１６】
ペダルブラケット３３は、例えば、図２および図３にも示されるように上下方向に延びる壁部で形成されるブラケット取付用の座面部３５と、座面部３５の一側面から突き出る一対のペダル支持壁３７とを有している。座面部３５は、ペダルブラケット据付用の座面６ｂに応じた外形をなし、中央部にはブレーキブースタ９の筒形部２３が挿通可能な通孔３６ａが設けられ、外周部にはボルト孔５ｂと対応した位置にボルト孔３６ｂが設けられる。ちなみに座面部３５の外周縁部は、Ｌ形に段差していて、座面６ｂ周囲のダッシュパッド７端の挟み込みが可能な端縁としている。
【００１７】
一対のペダル支持壁３７は、通孔３６ａ（オペレーティングロッド２１）を挟んで車幅方向に並ぶ壁部で形成される。この一対のペダル支持壁３７間に、ブレーキペダル３１が回動可能に組み付けられている。ちなみに、図１中３８は、ブレーキペダル端をペダル支持壁３７に回動可能に支持するピン部材を示す。
このペダルブラケット３３の座面部３５は、ダッシュパネル５の車室内側の座面６ｂと重なり、外周縁部で座面６ｂ周りのダッシュパッド端を挟み込む。座面部３５の通孔３６ａからは、ブレーキブースタ９の筒形部２３やオペレーティングロッド２１が貫通し、車室内側へ突き出る。また座面部３５のボルト孔３６ｂからは、ブレーキブースタ９のボルト部材１７が突き出る。ボルト部材１７端には、ナット部材３９がねじ込まれ、ブレーキブースタ９、ペダルブラケット３３をダッシュパネル５に固定する。そして、オペレーティングロッド２１の端部は、クレビス２５を介して、ブレーキペダル３１の中間部に接続され、ブレーキペダル３１の踏力で、オペレーティングロッド２１が操作されると、ブレーキブースタ９のアシスト機能が発揮される構造としている。
【００１８】
こうしたブレーキ構造は、ペダル踏力入力部１９と通孔５ａ，３６ａとの間の間隙から、外部騒音であるエンジンルーム３内の騒音が車室１に侵入することがある。そこで、ダッシュパネル５の車室内側には、この騒音の侵入を抑える手立てが講じられている。これには、ダッシュパネル５の車室内側の側面にカバー部材４５を設ける構造が用いられる。
具体的には、図１〜図３に示されるようにカバー部材４５は、通孔３６ａの開口縁部をなす座面部３５部分に沿って環状に配置されるフランジ部４７（本願の第１フランジ部に相当）と、フランジ部４７の内周部から軸方向に延びる筒形のカバー部４９（本願の第１カバー部に相当）とを有している。フランジ部４７は、ボルト孔３６ｂ（ペダルブラケット３３）と対応した位置にボルト孔４８が設けられている。
【００１９】
またカバー部４９は、通孔３６ａ（ペダルブラケット３３）から突き出る筒形部２３を外側から覆い、さらに筒形部２３から突き出るオペレーティングロッド２１の先端側、例えばオペレーティングロッド２１が最も縮んだときのクレビス２５近くの外周面（ロッドの先端部近傍）までを覆う筒形をなしている。ちなみにカバー部４９端は、内方へ絞られる形状、例えば逆Ｌ形に形成され、この逆Ｌ形に絞られた絞り部５０にて、オペレーティングロッド２１の外周面近くまでを覆っている。
【００２０】
すなわち、カバー部材４５のフランジ部４７は、通孔３６ａ周りの座面部３５と重なるように配置される。カバー部４９は、車室外側から車室内側へ突き出た筒形部２３の外側、ブーツ部材２７の外側、オペレーティングロッド２１の先端側の外周面までを覆う。フランジ部４７のボルト孔４８からは、ブレーキブースタ９のボルト部材１７が突き出る。このボルト部材１７端には、ナット部材３９がねじ込まれる。これにより、カバー部材４５は、ブレーキブースタ９およびペダルブラケット３３と共にダッシュパネル５に共締される。と共に一対のペダル支持壁３７間に収まる構造としている。
【００２１】
つまり、カバー部材４５は、デッドスペースとなる一対のペダル支持壁３７間に収められながら、ペダル踏力入力部１９（筒形部２３とオペレーティングロッド２１）と通孔５ａ，３６ａとの間の間隙を遮る。
したがって、ダッシュパネル５の車室内側に設けたカバー部材４５により、エンジンルーム３の騒音が車室１へ侵入する侵入経路（筒形部２３，オペレーティングロッド２１と通孔５ａ，３６ａ間）は遮られる（遮音）。この遮音構造は、ブレーキブースタ９の支持剛性の低下をもたらすことはないので、ブレーキペダル３１のペダルフィーリングを低下させることはない。
【００２２】
よって、ペダルフィーリングに影響を与えずに、外部騒音が車室１内へ侵入するのを防ぐことができる。特にカバー部材４５は、フランジ部４７と、筒形部２３からオペレーティングロッド２１までを覆う筒形のカバー部４９とを組み合わせた構造なので、簡単な構造ですむ。しかも、カバー部材４５には、ブレーキブースタ９のボルト部材１７を用いて、ペダルブラケット３３、ブレーキブースタ９と共締して固定されるとしたので、固定も簡単な構造ですむ。もちろん、同固定は他の構造でも構わない。
【００２３】
そのうえ、カバー部材４５は、ブレーキペダル３１を支持する一対のペダル支持壁３７間のデットスペースとなる空間に配置する構造としたことにより、カバー部材４５はコンパクトにダッシュパネル５に据え付けることができる。
図４は、本発明の第２の実施形態を示す。
本実施形態は、第１の実施形態の変形例で、筒形部２３までを覆うカバー部材５５を用いて遮音したものである。
【００２４】
具体的には、カバー部材５５は、通孔３６ａの開口縁部となる座面部３５に配置される環状のフランジ部５７（本願の第２フランジ部に相当）と、フランジ部５７の内周部から軸方向に延びるカバー部５９（本願の第２カバー部に相当）とを有している。フランジ部４７は、第１の実施形態と同様な構造で、ダッシュパネル５に固定される。カバー部５９は、通孔３６ａ（ペダルブラケット３３）から突き出る筒形部２３、ここでは筒形部２３の先端部外周までを覆う筒形の構造が用いられている。
【００２５】
このように、筒形部２３をダッシュパネル５から先端部までを覆い、騒音の侵入経路となる、筒形部２３と通孔５ａ，３６ａ間を遮るようにしても、第１の実施形態と同様の効果を奏する。この場合、両者は非移動物なので、カバー部５９の内面と筒形部２３の外周面との間に、当該貫通部の間隙を埋めるようシール部材６１を充填することにより、十分なる遮音が行える。
【００２６】
図５は、本発明の第３の実施形態を示す。
本発明は、第１、２の実施形態の変形例で、ペダルブラケット３３、ここでは座面部３５に、カバー部材４５，５５を一体に形成したものである。こうしたカバー部材４５，５５の構造でも、第１，２と同様の効果を奏する。
但し、図４および図５において、第１の実施形態と同一部分には、同一符号を付してその説明を省略した。
【００２７】
なお、上述した実施形態における各構成およびそれの組合わせ等は一例であり、本発明の趣旨から逸脱しない範囲内で、構成の付加、省略、置換、およびその他の変更が可能であることはいうまでもない。また本発明は、実施形態によって限定されることはなく、「特許請求の範囲」によってのみ限定されることはいうまでもない。例えば上述した実施形態では、筒形のカバー部材を用いたが、それ以外の形状のカバー部材を用いても構わない。
【符号の説明】
【００２８】
５  ダッシュパネル
９  ブレーキブースタ
１９  ペダル踏力入力部
２１  オペレーティングロッド（ロッド部材）
２３  筒形部
４５，５５  カバー部材
４７  フランジ部（第１フランジ部）
４９  カバー部（第１カバー部）
５７  フランジ部（第２フランジ部）
５９  カバー部（第２カバー部）
６１  シール部材
【図１】
2015229404.tif 000003
【図２】
2015229404.tif 000004
【図３】
2015229404.tif 000005
【図４】
2015229404.tif 000006
【図５】
2015229404.tif 000007